(57)【要約】【課題】磁気カードリーダ装置において、簡単な構成で磁気カードの読取り不良の発生を抑える。【解決手段】磁気カードリーダ装置１は、磁気カード１００の磁気データを読取る磁気データ読取り部（１０）と、磁気カード１００の挿入を検知する挿入検知部３０と、挿入検知部３０により磁気カード１００の挿入が検知されると、磁気データ読取り部（１０）と磁気カード１００との間隔を増減させる間隔増減用駆動部（４０）と、を備える。【選択図】図１
2011180727.tif 000002
【特許請求の範囲】
【請求項１】
磁気カードの磁気データを読取る磁気データ読取り部と、
前記磁気カードの挿入を検知する挿入検知部と、
前記挿入検知部により前記磁気カードの挿入が検知されると、前記磁気データ読取り部と前記磁気カードとの間隔を増減させる間隔増減用駆動部と、
を備えることを特徴とする磁気カードリーダ装置。
【請求項２】
前記磁気カードをガイドするカードガイド部を更に備え、
前記間隔増減用駆動部は、前記カードガイド部を移動させ、前記磁気データ読取り部と前記磁気カードとの間隔を増減させるガイド部用駆動部である、
ことを特徴とする請求項１記載の磁気カードリーダ装置。
【請求項３】
前記ガイド部用駆動部は、前記磁気カードの挿入が検知される度に、前記カードガイド部を移動させることを特徴とする請求項２記載の磁気カードリーダ装置。
【請求項４】
前記ガイド部用駆動部は、前記カードガイド部を、前記磁気データ読取り部と前記磁気カードとの間隔が互いに異なる第１の位置と第２の位置との間で往復移動させることを特徴とする請求項２記載の磁気カードリーダ装置。
【請求項５】
前記ガイド部用駆動部は、前記カードガイド部を、前記磁気カードの挿入が検知されたときに、基準位置から該基準位置よりも前記磁気データ読取り部と前記磁気カードとの間隔が広くなる位置及び該間隔が狭くなる位置のうち一方に移動させ、次に前記磁気カードの挿入が検知されたときに、残る他方に移動させることを特徴とする請求項２記載の磁気カードリーダ装置。
【請求項６】
前記間隔増減用駆動部は、前記磁気データ読取り部を移動させることで、該磁気データ読取り部と前記磁気カードとの間隔を増減させる読取り部用駆動部であることを特徴とする請求項１記載の磁気カードリーダ装置。
【請求項７】
前記読取り部用駆動部は、前記磁気カードの挿入が検知される度に、前記時期データ読取り部を移動させることを特徴とする請求項６記載の磁気カードリーダ装置。
【請求項８】
前記読取り部用駆動部は、前記磁気データ読取り部を、前記磁気カードとの間隔が互いに異なる第１の位置と第２の位置との間で往復移動させることを特徴とする請求項６記載の磁気カードリーダ装置。
【請求項９】
前記読取り部用駆動部は、前記磁気データ読取り部を、前記磁気カードの挿入が検知されたときに、基準位置から該基準位置よりも前記磁気データ読取り部と前記磁気カードとの間隔が広くなる位置及び該間隔が狭くなる位置のうち一方に移動させ、次に前記磁気カードの挿入が検知されたときに、残る他方に移動させることを特徴とする請求項６記載の磁気カードリーダ装置。
【発明の詳細な説明】
【技術分野】
【０００１】
本発明は、磁気カードの磁気データを読取る磁気カードリーダ装置に関する。
【背景技術】
【０００２】
近年、磁気カードの読取り不良が増加している。読取り不良が発生する原因としては、磁石（携帯電話等）を近づけられることによる磁力低下（減磁）と、磁気データ書込み時の磁気データの歪（ノイズ）とがある。
【０００３】
なお、磁気カードの磁気データを読取るための構造としては、磁気ヘッドへの衝撃緩和及びヘッドタッチの安定化のために、磁気カードの案内溝に突出する突起を磁気カードにより押し上げることで突起と共に磁気ヘッドを押し上げる構造が知られている（例えば、特許文献１参照）。
【０００４】
また、磁気カードの磁気面が磁気センサの外部磁界によって消磁されるのを防ぐために、券類の厚さを検知し、その検知結果に基づき、磁気データを読取るために付与する磁界強度を変化させる券類処理装置も知られている（例えば、特許文献２参照）。
【先行技術文献】
【特許文献】
【０００５】
【特許文献１】特開平１０−１４３９７５号公報
【特許文献２】特開平５−９４６６７号公報
【発明の概要】
【発明が解決しようとする課題】
【０００６】
ところで、上述の読取り不良を引き起こす磁力低下（減磁）への対策としては、磁気ヘッドによる読取り感度を高くする必要がある。また、同様に読取り不良を引き起こす磁気データの歪（ノイズ）への対策としては、磁気ヘッドによる読取り感度を低くする必要がある。
【０００７】
そのため、読取り回路の定数を適度な値に設定することで、減磁及び歪のどちらの磁気カードもある程度のレベルまで読取り可能とする手法がとられている。しかしながら、このような読取り方法では、減磁及び歪のどちらの磁気カードにも最適な対応をとっているわけではないため、磁気カードの読取り不良の発生を抑えることは困難であった。
【０００８】
本発明の目的は、簡単な構成で磁気カードの読取り不良の発生を抑えることができる磁気カードリーダ装置を提供することである。
【課題を解決するための手段】
【０００９】
本発明の磁気カードリーダ装置は、磁気カードの磁気データを読取る磁気データ読取り部と、上記磁気カードの挿入を検知する挿入検知部と、上記挿入検知部により上記磁気カードの挿入が検知されると、上記磁気データ読取り部と上記磁気カードとの間隔を増減させる間隔増減用駆動部と、を備える。
【発明の効果】
【００１０】
本発明によれば、簡単な構成で磁気カードの読取り不良の発生を抑えることができる。
【図面の簡単な説明】
【００１１】
【図１】本発明の一実施の形態に係る磁気カードリーダ装置の内部構造を透視的に示す平面図（その１）である。
【図２】本発明の一実施の形態に係る磁気カードリーダ装置の内部構造を透視的に示す平面図（その２）である。
【図３】本発明の一実施の形態に係る磁気カードリーダ装置の右側面図である。
【図４】本発明の一実施の形態の変形例に係る磁気カードリーダ装置の内部構造を透視的に示す平面図である。
【図５】本発明の他の実施の形態に係る磁気カードリーダ装置の内部構造を透視的に示す平面図（その１）である。
【図６】本発明の他の実施の形態に係る磁気カードリーダ装置の内部構造を透視的に示す平面図（その２）である。
【図７】本発明の他の実施の形態の第１変形例に係る磁気カードリーダ装置の内部構造を透視的に示す平面図である。
【図８】本発明の他の実施の形態の第２変形例に係る磁気カードリーダ装置の内部構造を透視的に示す平面図である。
【発明を実施するための形態】
【００１２】
以下、本発明の実施の形態に係る磁気カードリーダ装置について、図面を参照しながら説明する。
＜一実施の形態＞
図１及び図２は、本発明の一実施の形態に係る磁気カードリーダ装置１の内部構造を透視的に示す平面図である。
【００１３】
図３は、磁気カードリーダ装置１の側面図である。
図１〜図３に示す磁気カードリーダ装置１は、磁気データ読取り部としての２つの磁気ヘッド１０，１０と、カードガイド部２０と、挿入検知部３０と、間隔増減用駆動部としてのガイド部用駆動部４０と、筐体５０と、を備える。
【００１４】
図１〜図３に示すように、２つの磁気ヘッド１０，１０は、筐体５０の内部に配置され、筐体５０の上面に設けられたスリット５１内に挿入される磁気カード１００の磁気データを読取る。なお、スリット５１は、磁気カード１００が挿入される磁気データ読取り用の溝であり、図１及び図２の図示上下方向に亘って設けられている。
【００１５】
２つの磁気ヘッド１０、１０は、スリット５１を挟んで互いに対向するように配置されている。このように磁気ヘッド１０が２つ配置されている場合、磁気カード１００の表裏のいずれの方向で挿入されても、磁気カード１００の図３に示す磁気ストライプ１１０から磁気データを読取ることが可能となっている。そのため、磁気カード１００の表裏の挿入方向を一方に限定すれば、磁気ヘッド１０は１つのみ配置するようにしてもよい。
【００１６】
カードガイド部２０は、４つのガイド部材２１，２２，２３，２４と、これらガイド部材２１〜２４を支持する支持部材としてのプレート２５と、を含み、筐体５０の内部に配置されている。
【００１７】
ガイド部材２１〜２４は、磁気ヘッド１０よりもスリット５１の入口側（図１及び図２の紙面上側）においてスリット５１を挟んで互いに対向するガイド部材２１，２２と、磁気ヘッド１０よりもスリット５１の出口側（図１及び図２の紙面下側）においてスリット５１を挟んで互いに対向するガイド部材２３，２４と、である。
【００１８】
プレート２５は、スリット５１の底部分の下方に配置されている。ガイド部材２１〜２４は、プレート２５に下方から軸支された、例えば、鉛直方向に延びる回転軸を中心に回転可能なローラであり、スリット５１に挿入される磁気カード１００をガイドする。
【００１９】
なお、本実施の形態のガイド部材２１〜２４は、２つずつ対向するように配置されているため、磁気カード１００の挿入ルートを確実に規定することができる。磁気カード１００の挿入ルートは、図１の例ではスリット５１の右端を通り、図２の例ではスリット５１の左端を通っている。
【００２０】
挿入検知部３０は、筐体５０の内部において、スリット５１の入口側の底部分から露出するように配置されている。挿入検知部３０は、例えばメカスイッチであり、磁気カード１００が挿入されると、磁気カード１００に接触して押圧されることで、磁気カード１００の挿入を検知する接触式の検知部である。
【００２１】
ガイド部用駆動部４０は、例えばソレノイド及びプランジャであり、筐体５０の内部に配置されている。
ガイド部用駆動部４０は、挿入検知部３０により磁気カード１００の挿入が検知されることで、例えば、ソレノイドによってプランジャを介してプレート２５を押し引きし、カードガイド部２０を移動させる。ガイド用駆動部４０は、磁気カード１００の挿入が検知される度に、カードガイド部２０を、磁気ヘッド１０と磁気カード１００との間隔（Ｇ１，Ｇ２）が互いに異なる第１の位置Ｐ１（図１参照）と第２の位置Ｐ２（図２参照）との間で往復移動させる。
【００２２】
なお、磁気カード１００の磁気ストライプ１１０は図１の右側に形成されているため、カードガイド部２０が図１に実線で示すように第１の位置Ｐ１にあるときの右側の磁気ヘッド１０と磁気カード１００との間隔Ｇ１は、図２に実線（図１に二点鎖線）で示す第２の位置Ｐ２にあるときの間隔Ｇ２よりも狭い。
【００２３】
一方、仮に磁気カード１００の磁気ストライプ１１０が図１の左側に形成されていたとすると、磁気ヘッド１０と磁気カード１００との間隔（図示せず）は、カードガイド部２０が第１の位置Ｐ１にあるときよりも第２の位置Ｐ２にあるときの方が狭くなる。
【００２４】
なお、カードガイド部２０は、磁気ヘッド１０と磁気カード１００との間隔を増減させる方向に移動されればよいため、ガイド用駆動部４０は、カードガイド部２０を、３つ以上の位置に往来させる構成としてもよい。
【００２５】
また、図４（本実施の形態の変形例）に示すように、カードガイド部２０は、挿入検知部３０により磁気カード１００の挿入が検知されたときに、基準位置Ｐ１１から、この基準位置Ｐ１１よりも磁気ヘッド１０と磁気カード１００との間隔（Ｇ１１）が広くなる位置Ｐ１２及び狭くなる位置Ｐ１３のうち一方に移動させ、次に磁気カード１００の挿入が検知されたときに、残る他方（位置Ｐ１３又は位置Ｐ１２）に移動させるようにしてもよい。
【００２６】
その場合、１つ前の磁気カード１００の挿入が検知されてから一定時間経過後に磁気カード１００の挿入が検知されると、カードガイド部２０を基準位置Ｐ１１に戻すというガイド部用駆動部４０の制御を制御部により行うとよい。或いは、１つ前の磁気カード１００の挿入が検知されてから一定時間経過後にタイマー回路等によりカードガイド部２０を基準位置Ｐ１１に戻すようにし、その場合、次の磁気カード１００の挿入が検知されても、カードガイド部２０の移動をキャンセルするという制御を行ってもよい。このように、１つ前の磁気カード１００の挿入を検知してから一定時間経過後に挿入される磁気カード１００を基準位置Ｐ１１のカードガイド部２０によりガイドすることができる制御を行うとよい。
【００２７】
以上説明した本実施の形態では、ガイド部用駆動部４０は、挿入検知部３０により磁気カード１００の挿入が検知されることで、カードガイド部２０を、磁気ヘッド１０と磁気カード１００との間隔Ｇ１，Ｇ２を増減させる方向に移動させる。
【００２８】
そのため、磁気ヘッド１０と磁気カード１００との間隔が狭い状態（間隔Ｇ１）では磁気ヘッド１０で検出する磁気レベルが高まり、磁気レベルが低い減磁した磁気カード１００であっても読取りやすくなる。また、上記の間隔が広い状態（間隔Ｇ２）では磁気ヘッド１０で検出する磁気レベルが弱まり、磁気データの歪による影響を防ぐことができる。
【００２９】
ところで、磁気カード１００の種類や磁気データの読取り状況に応じて、読取り回路の定数を変化させたり磁気ヘッド１０と磁気カード１００との間隔を増減させて読取り感度を変化させたりするのには複雑な制御を要するが、本実施の形態では、ガイド部用駆動部４０は、挿入検知部３０により磁気カード１００の挿入が検知されることで、磁気ヘッド１０と磁気カード１００との間隔Ｇ１，Ｇ２を増減させるため、磁気カードリーダ装置１を簡単な構成とすることができる。
【００３０】
よって、本実施の形態によれば、簡単な構成で磁気カード１００の読取り不良の発生を抑えることができる。
また、本実施の形態では、ガイド部用駆動部４０は、磁気カード１００の挿入が検知される度に、カードガイド部２０を移動させる。そのため、より一層簡単な構成で磁気カード１００の読取り不良の発生を抑えることができる。
【００３１】
また、本実施の形態では、ガイド部用駆動部４０は、カードガイド部２０を、磁気ヘッド１０と磁気カード１００との間隔が互いに異なる第１の位置Ｐ１（間隔Ｇ１）と第２の位置Ｐ２（間隔Ｇ２）との間で往復移動させる。そのため、より一層簡単な構成で磁気カード１００の読取り不良の発生を抑えることができる。
【００３２】
また、本実施の形態の図４に示す変形例では、ガイド部用駆動部４０は、カードガイド部２０を、磁気カード１００の挿入が検知されたときに、基準位置Ｐ１１から、基準位置Ｐ１１よりも磁気ヘッド１０と磁気カード１００との間隔が広くなる位置Ｐ１３及びこの間隔が狭くなる位置Ｐ１２のうち一方に移動させ、次に磁気カード１００の挿入が検知されたときに、残る他方（位置Ｐ１１又は位置Ｐ１２）に移動させる。
【００３３】
そのため、減磁した磁気カード１００と磁気データに歪のある磁気カード１００との両方を読み取りやすい位置を基準位置Ｐ１１として設定することで、この基準位置で磁気データを読取れる磁気カード１００についてはすぐに磁気データを読取ることができる。また、基準位置Ｐ１１で磁気データを読取れない磁気カード１００については、上記の間隔を狭くしたり広くしたりするようにカードガイド部２０を移動させることで、上述のように磁気データを読取りやすくし、読取り不良の発生をより一層抑えることができる。
【００３４】
また、本実施の形態では、挿入検知部３０は、磁気カード１００と接触することで磁気カード１００の挿入を検知する。そのため、簡単な制御でカードガイド部２０を移動させることができ、したがって、より一層簡単な構成で磁気カード１００の読取り不良の発生を抑えることができる。
【００３５】
なお、本実施の形態では、カードガイド部２０は、磁気カード１００の表裏の両側から磁気カード１００をガイドするが、一方側からのみ磁気カード１００をガイドする構成としてもよい。その場合でも、ガイド部用駆動部４０によりカードガイド部２０を移動させることで、上述の間隔を増減させることができる。
【００３６】
また、本実施の形態では、挿入検知部３０は、磁気カード１００と接触することで磁気カード１００の挿入を検知する接触式のものであるため、上述のように磁気カードリーダ装置１をより一層簡単な構成とすることができるが、例えば光学式センサなどの非接触式の検知部によって磁気カード１００の挿入を検知する構成を採用することも可能である。
【００３７】
また、本実施の形態では、挿入検知部３０は、スリット５１の入口側に配置されているが、スリット５１の出口側に配置されていてもよく、磁気カード１００が挿入されたことを検知できればよい。
【００３８】
なお、挿入検知部３０をスリット５１の入口側に配置した場合には、磁気カード１００が挿入された直後に当該磁気カード１００と磁気ヘッド１０との間隔を増減させることになるが、スリット５１の出口側に配置した場合には、次に挿入されてくる磁気カード１００と磁気ヘッド１０との間隔を増減させることになる。
【００３９】
＜他の実施の形態＞
図５及び図６は、本発明の他の実施の形態に係る磁気カードリーダ装置２０１の内部構造を透視的に示す平面図である。
【００４０】
本実施の形態の磁気カードリーダ装置２０１は、磁気ヘッド１０と磁気カード１００との間隔を増減させる間隔増減湯駆動部が、カードガイド部ではなく磁気ヘッド（磁気データ読取り部）１０を移動させるヘッド用駆動部（読取り部用駆動部）２１０である点、及び、カードガイド部を省略した点（図８の変形例ではカードガイド部（ガイド部材２２１〜２２４）を配置）において上述の一実施の形態の磁気カードリーダ装置１と主に相違し、その他の点は概ね同様である。そのため、同様の構成には同一の符号を付して詳細な説明を省略する。
【００４１】
図５および図６に示す磁気カードリーダ装置２０１は、磁気データ読取り部としての２つの磁気ヘッド１０，１０と、挿入検知部３０と、筐体５０と、読取り部用駆動部（間隔増減用駆動部）としての２つのヘッド用駆動部２１０，２１０と、を備える。
【００４２】
ヘッド用駆動部２１０，２１０は、上述の一実施の形態のガイド部用駆動部４０と同様に例えばソレノイド及びプランジャであり、筐体５０の内部に配置されている。
ヘッド用駆動部２１０，２１０は、挿入検知部３０により磁気カード１００の挿入が検知されることで、磁気ヘッド１０，１０を押し引きし、磁気ヘッド１０，１０を、磁気カード１００との間隔（Ｇ２１，Ｇ２２）が互いに異なる第１の位置Ｐ２１（図５参照）と第２の位置Ｐ２２（図６参照）との間で往復移動させる。
【００４３】
なお、磁気カード１００の磁気ストライプ１１０は図５の右側に形成されているため、右側の磁気ヘッド１０が図５に実線で示すように第１の位置Ｐ２１にあるときの磁気カード１００との間隔Ｇ２１は、図６に実線（図１に二点鎖線）で示す第２の位置Ｐ２２にあるときの間隔Ｇ２２よりも狭い。
【００４４】
図７（本実施の形態の第１変形例）に示すように、磁気ヘッド１０，１０は、磁気カード１００の挿入が挿入検知部３０により検知されたときに、基準位置Ｐ３１から、この基準位置Ｐ３１よりも磁気ヘッド１０と磁気カード１００との間隔（Ｇ３１）が広くなる位置Ｐ３２及びこの間隔（Ｇ３１）が狭くなる位置Ｐ３３のうち一方に移動させ、次に磁気カード１００の挿入が検知されたときに、残る他方（位置Ｐ３３又は位置Ｐ３２）に移動させるようにしてもよい。
【００４５】
その場合、１つ前の磁気カード１００の挿入を検知してから一定時間経過後に挿入される磁気カード１００の磁気データを基準位置Ｐ３１の磁気ヘッド１０により読取ることができるように、上述の一実施の形態と同様の制御をヘッド用駆動部２１０，２１０について行うとよい。
【００４６】
図８（本実施の形態の第２変形例）に示すように、磁気カード１００をガイドするカードガイド部としてのガイド部材２２１〜２２４を配置してもよい。本実施の形態のガイド部材２２１〜２２４は、筐体５０に対し移動不能に固定されている。
【００４７】
４つのガイド部材２２１〜２２４は、磁気ヘッド１０よりもスリット５１の入口側（図５及び図６の紙面上側）においてスリット５１を挟んで互いに対向するガイド部材２２１，２２２と、磁気ヘッド１０よりもスリット５１の出口側（図５及び図６の紙面下側）においてスリット５１を挟んで互いに対向するガイド部材２２３，２２４と、である。
【００４８】
ガイド部材２２１〜２２４は、例えば、鉛直方向に延びる回転軸を中心に回転可能なローラであり、スリット５１に挿入される磁気カード１００をガイドする。
なお、本実施の形態のガイド部材２２１〜２２４は、２つずつ対向するように配置されているため、磁気カード１００の挿入ルートを確実に規定することができる。磁気カード１００の挿入ルートは、図８の例ではスリット５１の真ん中を通っている。
【００４９】
以上説明した本実施の形態では、ヘッド用駆動部２１０は、挿入検知部３０により磁気カード１００の挿入が検知されることで、磁気ヘッド１０を、磁気カード１００との間隔Ｇ２１，Ｇ２２を増減させる方向に移動させる。
【００５０】
そのため、磁気ヘッド１０と磁気カード１００との間隔が狭い状態（間隔Ｇ２１）では磁気ヘッド１０で検出する磁気レベルが高まり、磁気レベルが低い減磁した磁気カード１００であっても読取りやすくなる。また、上記の間隔が広い状態（間隔Ｇ２２）では磁気ヘッド１０で検出する磁気レベルが弱まり、磁気データの歪による影響を防ぐことができる。
【００５１】
また、ヘッド用駆動部２１０は、挿入検知部３０により磁気カード１００の挿入が検知されることで、磁気ヘッド１０と磁気カード１００との間隔Ｇ１，Ｇ２を増減させるため、磁気カードリーダ装置２０１を簡単な構成とすることができる。
【００５２】
よって、本実施の形態によっても、上述の一実施の形態と同様に、簡単な構成で磁気カード１００の読取り不良の発生を抑えることができる。
また、本実施の形態では、ヘッド用駆動部２１０は、磁気カード１００の挿入が検知される度に、磁気ヘッド１０を移動させる。そのため、より一層簡単な構成で磁気カード１００の読取り不良の発生を抑えることができる。
【００５３】
また、本実施の形態では、ヘッド用駆動部２１０は、磁気ヘッド１０を、磁気カード１００との間隔が互いに異なる第１の位置Ｐ２１（間隔Ｇ２１）と第２の位置Ｐ２２（間隔Ｇ２２）との間で往復移動させる。そのため、より一層簡単な構成で磁気カード１００の読取り不良の発生を抑えることができる。
【００５４】
また、本実施の形態の図７に示す変形例では、ヘッド用駆動部２１０は、磁気ヘッド１０を、磁気カード１００の挿入が検知されたときに、基準位置Ｐ３１から基準位置Ｐ３１よりも磁気ヘッド１０と磁気カード１００との間隔が広くなる位置Ｐ３２及びこの間隔が狭くなる位置Ｐ３３のうち一方に移動させ、次に磁気カード１００の挿入が検知されたときに、残る他方（位置Ｐ３２又は位置Ｐ３３）に移動させる。
【００５５】
そのため、減磁した磁気カード１００と磁気データに歪のある磁気カード１００との両方を読み取りやすい位置を基準位置Ｐ３１として設定することで、この基準位置で磁気データを読取れる磁気カード１００についてはすぐに磁気データを読取ることができる。また、基準位置Ｐ３１で磁気データを読取れない磁気カード１００については、上記の間隔を狭くしたり広くしたりするように磁気ヘッド１０を移動させることで上述のように磁気データを読取りやすくし、読取り不良の発生をより一層抑えることができる。
【００５６】
また、本実施の形態においても、挿入検知部３０は、磁気カード１００と接触することで磁気カード１００の挿入を検知する。そのため、簡単な制御で磁気ヘッド１０を移動させることができ、したがって、磁気カードリーダ装置２０１を、より一層簡単な構成とすることができる。
【００５７】
また、本実施の形態では、磁気カードリーダ装置２０１は、磁気カード１００をガイドするカードガイド部（ガイド部材２２１〜２２４）を備える。そのため、磁気カード１００をガイド部材２２１〜２２４によりガイドすることで磁気ヘッド１０と磁気カード１００との間隔を安定させることができ、したがって、磁気カード１００の読取り不良の発生をより一層抑えることができる。
【００５８】
なお、本実施の形態では、２つの磁気ヘッド１０、１０及び２つのヘッド用駆動部２１０，２１０をスリット５１を挟んで互いに対向するように配置しているため、磁気カード１００の表裏がどちら側で挿入されても、磁気カード１００の磁気ストライプ１１０から磁気データを読取ることが可能となっている。そのため、磁気カード１００の表裏の挿入方向を一方に限定すれば、磁気ヘッド１０，１０及びヘッド用駆動部２１０，２１０は１つずつ配置するようにしてもよい。
【符号の説明】
【００５９】
１      磁気カードリーダ装置
１０      磁気ヘッド
２０      カードガイド部
２１〜２４      ガイド部材
２５      プレート
３０      挿入検知部
４０      ガイド部用駆動部
５０      筐体
５１      スリット
１００      磁気カード
１１０      磁気ストライプ
２０１      磁気カードリーダ装置
２１０      ヘッド用駆動部
２２１〜２２４      ガイド部材
【図１】
2011180727.tif 000003
【図２】
2011180727.tif 000004
【図３】
2011180727.tif 000005
【図４】
2011180727.tif 000006
【図５】
2011180727.tif 000007
【図６】
2011180727.tif 000008
【図７】
2011180727.tif 000009
【図８】
2011180727.tif 000010